【手続補正書】
【提出日】平成26年4月23日(2014.4.23)
【手続補正１】
【補正対象書類名】特許請求の範囲
【補正対象項目名】請求項１２
【補正方法】変更
【補正の内容】
【請求項１２】
所定の計画対象期間における、液化天然ガスを貯蔵する複数の貯蔵タンク夫々の前記液化天然ガスの初期貯蔵量と初期貯蔵熱量を含むタンク初期状態情報、前記液化天然ガスの複数の受入計画夫々の前記液化天然ガスの受入時期と受入量と受入熱量を含む受入計画情報、及び、１または複数の払出ラインから前記各払出ラインに対応する送出先へ前記液化天然ガスを直接或いは気化させて送出する送出計画における所定の単位期間毎の送出計画量を含む送出計画情報の各入力を受け付け、入力情報として所定の記憶手段に保存する入力情報記憶工程と、
前記入力情報、前記貯蔵タンクへの前記液化天然ガスの受入及び貯蔵に係る複数の制約条件、及び、前記貯蔵タンクから前記払出ラインへの前記液化天然ガスの払出に係る複数の制約条件によって混合整数非線形計画問題として構成される少なくとも前記液化天然ガスの受入及び払出の各操作に係る前記貯蔵タンクの運用計画問題の実現可能解を、コンピュータの演算処理により求解する演算処理工程と、を有し、
前記演算処理工程において、前記入力情報を所与とし、
前記制約条件の内の非線形式を含む複数の非線形制約条件の夫々に対して、第１緩和処理を行い、前記混合整数非線形計画問題を混合整数線形計画問題に置換して、第１処理手段を用いて求解し、少なくとも前記計画対象期間内における前記受入計画毎の前記液化天然ガスの受入の対象となる１または複数の前記貯蔵タンクを規定する受入パターンと前記単位期間毎の前記送出計画量に対応した前記液化天然ガスの払出を行う前記貯蔵タンクを規定する払出パターンの暫定解または最終解を導出する第１求解処理と、
前記制約条件の内の離散変数を含む複数の離散型制約条件に対して、第２緩和処理を行い、前記混合整数非線形計画問題を連続非線形計画問題に置換し、第２処理手段を用いて求解し、少なくとも前記各貯蔵タンクの前記液化天然ガスの貯蔵量及び貯蔵熱量の遷移の暫定解または最終解を導出する第２求解処理を、夫々、２回以上実行し、
２回目以降の前記第１求解処理において、前記非線形制約条件の少なくとも一部に対して、直前の前記第２求解処理で導出した前記液化天然ガスの貯蔵量及び貯蔵熱量の遷移の暫定解を使用して、前記第１緩和処理を行い、
１回目以降の前記第２求解処理において、前記離散型制約条件の少なくとも一部に対して、直前の前記第１求解処理で導出した前記離散変数を用いて前記第２緩和処理を行うことを特徴とする貯蔵タンク運用計画導出方法。
【手続補正２】
【補正対象書類名】特許請求の範囲
【補正対象項目名】請求項１５
【補正方法】変更
【補正の内容】
【請求項１５】
前記演算処理工程において、前記入力情報及び前記制約条件に含まれる前記液化天然ガスの熱量に代えて前記熱量に近似的に換算可能な前記液化天然ガスの密度を用い、前記第１及び第２求解処理を実行し、前記各貯蔵タンクの前記液化天然ガスの貯蔵熱量の遷移の暫定解に代えて、前記各貯蔵タンクの前記液化天然ガスの密度の遷移の暫定解を導出することを特徴とする請求項１２〜１４の何れか１項に記載の貯蔵タンク運用計画導出方法。
【手続補正３】
【補正対象書類名】明細書
【補正対象項目名】００４９
【補正方法】変更
【補正の内容】
【００４９】
数４は、時点ｔが受入日となっている受入計画の受入量が、時点ｔで各貯蔵タンク１０に受け入れられた受入量の合計となることを表している。数４の左辺の各貯蔵タンク１０の内、受入タンクとして使用されない貯蔵タンク１０の受入量は０である。数４は、計画対象期間Ｔの日数と同数存在する。時点ｔで受入計画のない場合は、数４の右辺の定数の値は０である。
【手続補正４】
【補正対象書類名】明細書
【補正対象項目名】００８６
【補正方法】変更
【補正の内容】
【００８６】
受入計画情報は、計画対象期間Ｔ内のＬＮＧの調達に係る情報で、例えば、計画対象期間Ｔ内に発生する受入計画毎に、受入計画の識別情報、ＬＮＧタンカーの入船日（受入日）、ＬＮＧ受入量、ＬＮＧの密度（または標準状態気化熱量）等の情報で構成される。尚、本実施形態では、上述のように、ＬＮＧの標準状態気化熱量は、密度に換算するため、オペレータの入力操作により当該熱量の入力を受け付ける場合は、演算処理手段２が当該熱量を密度に変換してから記憶手段３に入力する。
【手続補正５】
【補正対象書類名】明細書
【補正対象項目名】００８７
【補正方法】変更
【補正の内容】
【００８７】
送出計画情報は、送出先１５毎のＬＮＧの需要推定に基づいて設定され、計画対象期間Ｔ内の１日単位での各送出先１５へのＬＮＧまたはＬＮＧを気化させた都市ガスの送出計画量で構成される。本実施形態では、当該送出計画量は、ＬＮＧ（液体状態）の体積で表される。
【手続補正６】
【補正対象書類名】明細書
【補正対象項目名】００８８
【補正方法】変更
【補正の内容】
【００８８】
タンク初期状態情報は、計画対象期間Ｔの開始直前に各貯蔵タンク１０に貯蔵されているＬＮＧの体積及び密度の各初期値で構成され、体積及び密度の各初期値が初期貯蔵量と初期貯蔵熱量に相当する。タンク初期状態情報は、各貯蔵タンク１０に設けられた液量計及び質量計による測定結果を取得して、自動的にまたはオペレータの手動操作により、記憶手段３に入力される。
【手続補正７】
【補正対象書類名】明細書
【補正対象項目名】０１０８
【補正方法】変更
【補正の内容】
【０１０８】
移送パターンは、貯蔵タンク１０の内、特定の時点ｔで移送元タンクとなる場合に、当該貯蔵タンク１０を示す行と当該特定の時点ｔを示す列の交点に、移送先タンクを示すタンク番号を記す。図７に示す例では、例えば、時点ｔ＝２で、貯蔵タンクＫ１０３から貯蔵タンクＫ２０４へ、貯蔵タンクＫ１０４から貯蔵タンクＫ２０６へ、時点ｔ＝４で、貯蔵タンクＫ１０４から貯蔵タンクＫ１０８へ、夫々移送が行われることが分かる。
【手続補正８】
【補正対象書類名】明細書
【補正対象項目名】０１２４
【補正方法】変更
【補正の内容】
【０１２４】
具体的には、第１処理手段４が、１日単位の払出パターンに基づいて１時間単位の送出計画量に対応して払出操作を行った場合に、所定の制約条件を１時間単位でも満足するかを確認する整数計画問題を求解する。この場合、求解アルゴリズムとして、他の混合整数線形計画問題と異なり、列生成法を用いる。当該整数計画問題は、払出ライン１４毎に、導出した払出パターンを所与とした場合の払出用ポンプ１６の稼働優先順位を決める離散変数を導出する整数計画問題として構成する。制約条件としては、例えば、払出操作における物量制約及び熱量制約の制約条件の一部を１時間単位で使用する。目的関数として、当該優先順位で払出用ポンプ１６を稼働させた場合に、１時間毎の各払出ライン１４へＬＮＧの払出を行う貯蔵タンク１０と、導出した払出パターンにより決まる１日単位で払出を行う貯蔵タンク１０との齟齬を数値化したものを使用する。より具体的には、優先順位を仮定して、１時間単位での各貯蔵タンク１０からの払出量を導出し、当該払出量を用いて上記制約条件の判定を行い、制約条件を満足するものの中から目的関数を最小化する払出用ポンプ１６の優先順位を導出する。
【手続補正９】
【補正対象書類名】図面
【補正対象項目名】図５
【補正方法】変更
【補正の内容】
【図５】
2013092162.tif 000001